(57)【特許請求の範囲】
【請求項１】
記録手段に記録された映像に含まれる文字部分を判断し、抽出するテロップ抽出部と、
該テロップ抽出部が抽出した文字部分を文字コードデータに変換するテキスト化部と、
あらかじめ登録された監視用文字コードデータと前記テキスト化部が変換した文字コードデータとを比較した結果をデータとして出力する比較部と
を少なくとも備えたことを特徴とする放送素材監視装置。
【請求項２】
入力された監視用文字コードデータに基づいて、前記監視用文字コードデータが表す文字と関連付けられた文字とを変換し、新たな監視用文字コードデータを作成し、前記比較部に登録する関連付部をさらに備えたことを特徴とする請求項１記載の放送素材監視装置。
【請求項３】
前記記録手段に記録させる際の前記映像に基づいて前記テロップ抽出部が抽出した前記文字部分を前記テキスト化部が変換した文字コードデータの中から選択された文字コードデータを前記監視用文字コードデータとして前記比較部に登録することを特徴とする請求項１記載の放送素材監視装置。
【請求項４】
前記記録手段に記録させる際の前記映像と前記記録手段に記録された映像とをそれぞれある基準に基づいて数値化し、比較した結果をデータとして出力する映像比較部と、
前記記録手段に記録させる際の前記音声と前記記録手段に記録された音声とをそれぞれある基準に基づいて数値化し、比較した結果をデータとして出力する音声比較部と
をさらに備えたことを特徴とする請求項１記載の放送素材監視装置。
【発明の詳細な説明】
【０００１】
【発明の属する技術分野】
この発明は、例えば放送局のシステムにおいて放送素材登録及び送出登録が正しく行われているかを監視するための放送監視装置に関するものである。特にＣＭ放送用に用いられるＣＭバンクと呼ばれるシステムへの適用に関するものである。
【０００２】
【従来の技術】
放送システムにおいて、ＣＭ（Commercial Message）を送出する、ＣＭバンクと呼ばれるシステムがある。ＣＭバンクは、ＣＭの映像、音声等をデータ化し、各ＣＭ毎にファイル単位で記録しておく。また、ＣＭの順番を設定し、順番通りに後段の放送設備にデータ信号の送出を行うものである。
【０００３】
図６は従来のＣＭバンクの構成を示す図である。図６において、１４はＣＭバンクシステムの中心となる、いわゆるサーバ（ビデオサーバ）と呼ばれるデータ処理装置の本体である（以下、サーバ部という）。６は搬入されたＣＭの映像及び音声（以下、素材という）を再生するためのデータを読み出し、マスター素材信号（映像信号と音声信号を含む。例えばコンポジット信号）として送信する素材テープ再生用ＶＴＲである。７は素材テープ再生用ＶＴＲ６から送信されたマスター素材信号に基づいて、例えば素材のデータ（以下、素材データという）をＨＤＤ８に記録（登録）するための制御処理を行う素材記録部である。５は素材登録者（オペレータ）が入力した、例えば素材登録の指示、素材毎に付される素材コード、素材の使用期間等の素材登録制御データを、信号として送信するための素材登録端末である。３は素材登録端末５から送信される信号に基づいて素材テープ再生用ＶＴＲ６及び素材記録部７の制御処理を行う素材登録制御部である。また、素材登録制御部３は、素材記録部７に素材登録制御データを素材データと関連づけてＨＤＤ８に登録させるための処理も行う。８は素材記録部７が処理したデータを記録（登録）する記録手段となるＨＤＤ（Hard Disk Drive ）である。また、ＨＤＤ８には、素材登録制御データと素材データとの関連を表すテーブル等のデータも登録される。
【０００４】
９はオペレータが入力した素材コード、素材再生日時等の素材再生制御データを信号として送信するためのプレイリスト端末装置である。１０はプレイリスト端末９から送信された信号に基づいて、プレビュー用再生部２又は素材放送用再生部１１に指示を与え、素材データを処理、再生（送出）させたり、その順番等を制御する素材再生制御部である。２はプレビュー用の素材再生をＨＤＤ８に対して指示し、ＨＤＤ８からのデータを処理し、映像信号及び音声信号から構成される素材信号を送信し、プレビュー端末４に表示、音発生等させるプレビュー用再生部である。４はプレビュー用再生部２から送信される素材信号に基づいて映像表示及び音発生を行うプレビュー端末である。
【０００５】
１１は放送用の素材再生ＨＤＤ８に対して指示し、ＨＤＤ８からの素材データを処理した素材信号を送信する素材放送用再生部である。また、１２は素材を放送するための処理を行う放送送出設備である。
【０００６】
図７は従来の素材の登録作業を表す流れ図である。５４は素材をデータＨＤＤ８に登録する処理手順を示すブロック、５５は素材データが正しく登録されているか否かを確認する処理手順を示すブロック、５６は素材が決められた日時に正しい順番で放送されるか否かを確認する手順を示すブロックである。
【０００７】
次に、従来のＣＭバンクシステムの動作について図６及び図７に基づいて説明する。まず、ＣＭバンクへの素材登録者（オペレータ）は素材登録端末５から素材登録の指示をサーバ部１４の素材登録制御部３に入力する。その際に、例えば、その素材に付される素材コードの番号や、使用期間の登録等の素材登録制御データも信号として送信される。素材登録制御部３は入力される指示に基づいて素材テープ再生ＶＴＲ６を駆動させる。また、素材記録部７に指示し、マスター素材信号に基づいて得られる素材データを素材登録制御データと関連づけてＨＤＤ８に登録させる。その結果、ＨＤＤ８には、「素材」「素材コード」「使用期間」がＣＭ毎にファイル（データファイル）として記録される（ブロック５４）。ファイルとはデータを格納又は処理する単位である。
【０００８】
オペレータは、ＨＤＤ８に登録されているか否かを確認するため、プレイリスト端末９からプレビュー再生しようとする素材コードを入力し、サーバ部１４の素材再生制御部１０に再生指示を入力する。素材再生制御部１０は、その指示に基づいてプレビュー用再生部２を動作させる。プレビュー用再生部２はＨＤＤ８から素材コードデータに基づいた素材データを読み込み、その素材データを処理してプレビュー端末４上に素材を再生させる。オペレータはプレビュー端末４に再生された素材の映像、音声が登録される前の素材と比べて質が低下していないか及びテロップが正しいかを目視等で確認する（ブロック５５）。
【０００９】
また、オペレータは素材を放送する日時（複数の素材の再生順等を含む）をデータとして入力し、ＣＭプレイリストデータをプレイリスト端末９で作成する。そして、素材再生制御部１０はＣＭプレイリストデータに基づいて、プレビュー用再生部２を制御し、放送順に素材を再生させる。このとき、素材登録者は映像及び音声の基本的な質もさることながら、放送すべき日時に適切なＣＭ素材が予定されている通りに再生されるか否かを目視等で確認する。
【００１０】
例えば、スーパーのセールが２月１日から始まるのであれば、そのスーパーのセールのＣＭには例えば「２月１日から」「２／１〜」などと言ったテロップが誤り無く表示されているかを確認する。また、例えば、コンサート予約受け付けのＣＭの場合、予約が満席となった日以降は「好評発売中」等のテロップが表示されないＣＭが選択されているかを目視等で確認する（ブロック５６）。
【００１１】
実際に放送する場合には、素材再生制御部１０は素材放送用再生部１１を制御し、ＨＤＤ８からの素材データを処理し、放送順に放送送出設備１２に送信し、放送を行う。
【００１２】
【発明が解決しようとする課題】
上述したように、ＣＭバンクに登録した素材について、映像及び音声の基本的な質並びにテロップ内容を目視で確認しなければならなかった。
【００１３】
ここで、映像及び音声の基本的な質については、登録前の映像（音声）と登録後の映像（音声）とを、例えば、映像については、画面毎に輝度の総和を比較し、その差に基づいて自動的に確認（チェック）を行うこともできる。しかし、テロップの内容は、放送日等によってその内容が日々変化することがあるため、目視により確認することが不可欠であり、これが、ＣＭバンクにおける作業の高効率化を妨げていた。
【００１４】
この発明は上記のような問題点を解消するためになされたもので、ＣＭバンクへのＣＭ素材登録等の作業効率向上をはかれる素材監視装置を提供することを目的とする。
【００１５】
【課題を解決するための手段】
そのため、本発明に係る放送素材監視装置は、記録手段に記録された映像に含まれる文字部分を判断し、抽出するテロップ抽出部と、テロップ抽出部が抽出した文字部分を文字コードデータに変換するテキスト化部と、あらかじめ登録された監視用文字コードデータとテキスト化部が変換した文字コードデータとを比較した結果をデータとして出力する比較部とを少なくとも備えたものである。
【００１６】
また、本発明に係る放送素材監視装置は、入力された監視用文字コードデータに基づいて、監視用文字コードデータが表す文字と関連付けられた文字とを変換し、新たな監視用文字コードデータを作成し、比較部に登録する関連付部をさらに備えたものである。
【００１７】
また、本発明に係る放送素材監視装置は、記録手段に記録させる際の映像に基づいてテロップ抽出部が抽出した文字部分をテキスト化部が変換した文字コードデータの中から選択された文字コードデータを監視用文字コードデータとして比較部に登録するものである。
【００１８】
また、本発明に係る放送素材監視装置は、記録手段に記録させる際の映像と記録手段に記録された映像とをそれぞれある基準に基づいて数値化し、比較した結果をデータとして出力する映像比較部と、記録手段に記録させる際の音声と記録手段に記録された音声とをそれぞれある基準に基づいて数値化し、比較した結果をデータとして出力する音声比較部とをさらに備えたものである。
【００１９】
【発明の実施の形態】
実施の形態１．
図１は本発明の第１の実施の形態に係る放送素材監視装置（ＣＭバンク）を示す図である。図１において図４と同じ図番を付しているものは、従来のものと同様の動作を行うので説明を省略する。１は登録素材と再生素材を比較監視するための素材監視部である。また、１６は素材登録端末である。素材登録端末１６は監視テキスト登録機能を備えている点で素材登録端末１５とは異なる。１３はサーバ部である。サーバ部１３は素材監視部１を備えている点でサーバ部１４とは異なる。１５はプレビュー端末である。プレビュー端末１５は、素材監視部１から送信される表示信号に基づいて素材監視結果を表示する点でプレビュー端末４とは異なる。
【００２０】
図２は素材監視部１を中心とする構成を示す図である。図２において、１ｅはプレビュー用再生部２が素材データ処理し、再生しようとする素材の素材信号から映像信号と音声信号とに分離する映像・音声分離部である。１ｆは映像信号について、登録前のものと登録後のものとを比較し、結果信号を送信する映像比較部である。１ｇは音声信号について、登録前のものと登録後のものとを比較し、結果信号を送信する音声比較部である。
【００２１】
１ａは映像信号からテロップ（文字）部分を抽出し、画像データであるテロップデータを作成するテロップ抽出部である。１ｂはテロップ抽出部１ａが作成したテロップデータに基づいて文字認識処理を行い、文字コードのデータであるテキストデータに変換するテキスト化部である。１ｃは素材登録制御部３により処理された監視用テキストデータを記録（登録）するための監視テキスト情報取得部である。１ｄはテキスト化部１ｂが変換したテキストデータと監視テキスト情報取得部１ｃの監視用テキストデータとを比較し、素材監視結果を含む表示信号をプレビュー端末１５に送信するテキスト比較部である。
【００２２】
図３は第１の実施の形態の登録作業を表す流れ図である。５１は素材登録を行う手順を示すブロック、５２はＣＭバンクにデータが正しく記録されているか否かを確認する手順を示すブロック、５３はＣＭ素材が正しく決められた日時に放送されるか否かを確認する手順を示すブロックである。
【００２３】
次に図１、２及び３に基づいて本実施の形態のシステムの動作について説明する。ステップ５１の素材データ及び素材登録制御データをＨＤＤ８に登録する作業については、従来の登録方法と同じであるので説明を省略する。本実施の形態では、さらに、素材登録者（オペレータ）は、例えば「２月１日から」、「２／１〜」等、テロップ内容を表す監視テキストデータを登録するため、素材登録端末１６から文字を入力する。素材登録端末１６から送信された信号に基づいて、素材登録制御部３は、素材監視部１の監視テキスト情報取得部１ｃに監視テキストデータを登録させる（ステップ５１）。
【００２４】
プレビュー用再生部２は、素材再生制御部１０の指示に基づいてＨＤＤ８からの素材データを処理して、素材信号を送信する。素材信号はプレビュー端末４に送信されるとともに、素材監視部１にも送信される。
【００２５】
素材監視部１の映像・音声分離部１ｅは、素材信号に基づいて映像信号と音声信号とに分離する。音声信号については音声比較部１ｇにおいて、例えば、マスター素材信号に含まれる音声信号について音量レベル等の要素をあらかじめ数値化しておく。そして、、映像・音声分離部１ｅで分離された登録された音声信号の要素を数値化する処理を行い、あらかじめ定めた基準に基づいて比較し、判断した素材監視結果を含む表示信号をプレビュー端末１５に送信し、表示させる。
【００２６】
一方、映像信号は、映像比較部１ｆとテロップ抽出部１ａに送信される。映像比較部１ｆにおいて、例えば、マスター素材信号に含まれる映像信号について１画面分の輝度の総和等の要素をあらかじめ数値化しておく。そして、映像・音声分離部１ｅで分離された登録された映像信号の要素を数値化する処理を行い、あらかじめ定めた基準に基づいて比較し、判断した素材監視結果を含む表示信号をプレビュー端末１５に送信し、表示させる。
【００２７】
また、テロップ抽出部１ａは、映像信号が表す映像から、テロップデータを抽出する。テキスト化部１ｂは、テロップ抽出部１ａが抽出したテロップデータに基づいて文字認識処理を行い、テロップに書かれた文字をテキストデータに変換する。
【００２８】
テキスト比較部１ｄはテキスト化部１ｂで得られたテキストデータと監視テキスト情報取得部１ｃで監視テキストデータとを比較処理する。テキストデータと一致する監視テキストデータが存在するものと判断すると、結果が正しい旨の素材監視結果を含む表示信号をプレビュー端末１５に送信し、表示させる。テキストデータと一致する監視テキストデータが存在しないものと判断すると、結果が誤っている旨の素材監視結果を含む表示信号をプレビュー端末１５に送信し、表示させて警報する。また、プレビュー端末１５に音発生による教示を行わせるようにしてもよい。
【００２９】
以上のように第１の実施の形態によれば、ＨＤＤ８に登録されている映像からテロップ抽出部１ａが抽出したテロップデータに基づいてテキスト化部１ｂが文字認識処理を行ってテキストデータに変換し、あらかじめ登録された監視テキストデータとの比較を行って、その結果をプレビュー端末１５に表示させるようにしたので、素材の監視作業の軽減を図ることができる。しかも、映像比較部１ｆや音声比較部１ｇと組み合わせて用いることにより、従来、目視で行われていた確認を自動的に行うことができるようになり、素材登録監視作業の効率を向上させることができる。
【００３０】
実施の形態２．
図４は本発明の第２の実施の形態に係る素材監視部１Ａを中心とする構成を示す図である。図４において、図２と同じ図番を付しているものは、上述した同図番の説明に相当する動作を行うので説明を省略する。１ｈは入力された監視テキストデータに基づいて、追加の監視テキストデータを作成するための監視テキスト関連付部である。
【００３１】
例えば、特に重要な年月日が書かれたテロップについて、「２００２」と「平成１４年」とを対応させるようにしておいたり、「．」や「・」を「年」、「月」又は「日」と対応させるようにしておく。そして、「Ａ：登録内容」＝「Ｂ：テロップ内容」となった場合が期待される結果とした場合、例えばオペレータが素材登録端末１６から「２００２．２．１」を監視テキストデータとして登録した場合に、監視テキスト関連付部１ｈは、「２００２．２．１」、「２００２年２月１日」、「平成１４年２月１日」等を追加の監視テキストデータとして作成し、監視テキスト情報取得部１ｃに登録させる。
【００３２】
その後の登録作業等の処理は、上述したことと同様の処理を行うので説明を省略する。
【００３３】
以上のように実施の形態２によれば、監視テキスト関連付部１ｈに基づいて、オペレータが入力した監視テキストデータに関連するキーワードに基づいて追加の監視テキストデータを作成するようにしたので、登録作業者（オペレータ）の入力作業を軽減することができる。
【００３４】
実施の形態３．
図５は本発明の第３の実施の形態に係る素材監視部１Ｂを中心とする構成を示す図である。図５において、図２や図４と同じ図番を付しているものは、上述した同図番の説明に相当する動作を行うので説明を省略する。図５において、１００は素材記録部７からテロップ抽出部１ａに映像信号を伝送する信号経路である。１０１はテキスト化部１ｂから素材登録制御部３へテキストデータを含む信号を伝送する信号経路である。また、１０２は素材登録制御部３から素材登録端末Ｂ１６へテキストデータを含む信号を伝送する信号経路である。
【００３５】
素材をＨＤＤ８に登録する際に、素材記録部７は、信号経路１００を介して素材テープ再生用ＶＴＲ６からの映像信号を素材監視部１にも送信する。素材監視部１は、受信した映像信号に基づいてテロップデータを抽出する。そして、テキスト化部１ｂは、テロップ抽出部１ａが抽出したテロップデータに基づいて文字認識処理を行い、テロップに書かれた文字をテキストデータに変換する。テキスト化部１ｂはテキストデータを含む信号を信号経路１０１を介して素材登録制御部３に送信する。
【００３６】
素材登録制御部３は、テキストデータに基づく文字を表示させるための表示信号を信号経路１００を介して送信し、素材の映像に含まれる文字を素材登録端末１６に表示させる。オペレータは素材登録端末１６に表示された文字情報に基づいて、文字情報を選択し、監視テキストデータの登録を行う。その後の、プレビュー時の作業については、上述した処理と同じであるので説明を省略する。
【００３７】
以上のように第３の実施の形態によれば、素材の登録時に、映像に含まれるテロップから文字部分を抽出してテキストデータに変換し、監視テキストデータの登録候補とし、選択等により関しテキストデータを登録するようにしたので、登録作業者（オペレータ）の入力作業を軽減することができる。
【００３８】
実施の形態４．
上述の実施の形態ではＣＭバンクのシステムを例として説明したが、本発明はこれに限定されるものではなく、他の放送システムにおいても適用することができる。
【００３９】
【発明の効果】
以上のように本発明によれば、記録手段に登録されている映像からテロップ抽出部が抽出した文字部分をテキスト化部１ｂが文字コードデータに変換し、あらかじめ登録された監視テキストデータとの比較を行って、その結果を出力するようにしたので、素材の監視作業の軽減を図ることができる。
【００４０】
また、本発明によれば、関連付部が入力された監視文字コードデータに基づいた新たな監視用文字コードデータを作成し、比較部が比較する際に利用するようにしたので、作業者が監視文字コードデータを入力する数を減らすことができ、入力作業の軽減を図ることができる。
【００４１】
また、本発明によれば、記録手段に記録させる際の映像から文字部分を抽出することで監視用文字コードデータを作成するようにしたので、作業者が監視文字コードデータを入力する数を減らすことができ、入力作業の軽減を図ることができる。
【００４２】
また、本発明によれば、映像比較部、音声比較部をさらに備え、記録前と記録後の映像、音声を比較して結果を出力するようにしたので、目視で行われていた確認を自動的に行うことができるようになり、素材登録監視作業の効率を向上させることができる。
【図面の簡単な説明】
【図１】  本発明の第１の実施の形態に係る放送素材監視装置（ＣＭバンク）を示す図である。
【図２】  素材監視部１を中心とする構成を示す図である。
【図３】  第１の実施の形態の登録作業を表す流れ図である。
【図４】  本発明の第２の実施の形態に係る素材監視部１Ａを中心とする構成を示す図である。
【図５】  本発明の第３の実施の形態に係る素材監視部１Ｂを中心とする構成を示す図である。
【図６】  従来のＣＭバンクの構成を示す図である。
【図７】  従来の素材の登録作業を表す流れ図である。
【符号の説明】
１、１Ａ、１Ｂ  素材監視部  、１ａ  テロップ抽出部、１ｂテキスト化部、１ｃ  監視テキスト情報取得部、１ｄ  テキスト比較部、１ｅ  映像・音声分離部、１ｆ  映像比較部、１ｇ  音声比較部、１ｈ  監視テキスト関連付部、２  プレビュー用再生部、３、３Ａ  素材登録制御部、４、１５  プレビュー端末、５  素材登録端末、６  素材テープ再生用ＶＴＲ、７  素材記録部、８  ＨＤＤ、９  プレイリスト端末装置、１０  素材再生制御部、１１  素材放送用再生部、１２  放送送出設備、１３、１４  サーバ部、１６、１６Ａ  素材登録端末、１００、１０１、１０２  信号経路。
【図１】
0003838147.tif 000002
【図２】
0003838147.tif 000003
【図３】
0003838147.tif 000004
【図４】
0003838147.tif 000005
【図５】
0003838147.tif 000006
【図６】
0003838147.tif 000007
【図７】
0003838147.tif 000008